(57)【特許請求の範囲】
【請求項１】
デジタルデータをファイルとして記憶する記憶部と、
前記ファイルを表示する表示部と、
操作部と、
前記記憶部に記憶されたファイルの中から所望のファイルを電子メールに添付して送信する無線通信部と、
前記操作部に対するファイル毎の操作或いはファイルが添付される電子メール送信毎の操作により、前記操作部に対して前記所望のファイルを前記記憶部から削除する指示が行われた場合には、前記所望のファイルが電子メールに添付されて前記無線通信部により送信された後に前記所望のファイルを前記記憶部から削除し、前記操作部に対して前記所望のファイルを前記記憶部から削除しない指示が行われた場合には、前記所望のファイルが電子メールに添付されて前記無線通信部により送信された後に前記所望のファイルを前記記憶部から削除せず、ついで前記記憶部に記憶されたファイルが前記表示部に閲覧表示された際には、前記電子メールに添付され、かつ前記操作部に対して行われた操作により前記記憶部から削除しないこととなった前記ファイルが送信済みのファイルであることを示すマークを前記表示部に表示する制御部と、
を有することを特徴とするメール送信端末。
【請求項２】
前記制御部は、前記操作部に対するファイル毎の操作或いはファイルが添付される電子メール送信毎の操作により、前記操作部に対して前記所望のファイルを前記記憶部から削除する指示が行われた場合には、前記所望のファイルを前記無線通信部により送信されてから所定期間経過後に前記記憶部から削除する、ことを特徴とする請求項１に記載のメール送信端末。
【発明の詳細な説明】
【０００１】
【発明の属する技術分野】
この発明はメール送信方法、特にファイル保存機能を備えたメール送信端末のファイル転送方法に関する。
【０００２】
【従来の技術】
近年、携帯電話機はカメラを内蔵し、撮影した画像ファイルや、サーバーからダウンロードした着信メロディーやＭＰ３などに代表される音楽ファイルを内蔵メモリに保存することができる。扱えるファイルは静止画像ファイル、動画ファイル、音声ファイル、音楽ファイル等でありこれらのファイルの閲覧のほか編集、削除機能を有している。また、電子メール機能も搭載され各ファイルをメールに添付し、添付ファイルとしてメール機能を搭載した他の情報端末へ送信することができる。
【０００３】
また、特許文献１には、ファクシミリ・メール・システムにおいて、再送ファイル（送信した画像情報をその後の使用（再送および転送）に備えて順次格納するファイル）の記憶容量が不足する状態が予見されるときに、当該再送ファイルに書き込まれた時点の古い順に当該再送ファイル内の画像情報を順次消去する手段を備えたファクシミリ・メール・システムが記載されている。
【０００４】
【特許文献１】
特開平４−３１２０６２公報    第２頁
【０００５】
【発明が解決しようとする課題】
しかしながら、これらの携帯電話機が内蔵するメモリの容量は、そのコストや携帯電話機の構造上の制約から大きくはなく、比較的ファイルの容量が大きい画像データや音楽データを記憶させるとメモリがすぐにいっぱいになってしまう。
したがって適宜、不要なファイルの削除を行う必要があった。ところが、内蔵カメラで撮影した画像ファイルや音楽ファイルなどは長期間保存しておきたいことも多く、これらのファイルについては削除ではなくパーソナルコンピュータなど他の情報機器にファイルを転送して内蔵メモリに空きを作る必要があった。
一方、他の情報機器に転送はしたいが、携帯電話機の内蔵メモリから削除はしたくないファイルも存在する。しかしこの場合、従来の携帯電話においては、ファイルの閲覧表示の際に、転送はしたが削除されなかった電子メールと他のファイルとを区別することはできなかった。
【０００６】
したがって、使用者は、電子メールに添付されて送信されたファイルとそうでないファイルとをファイルの閲覧の際に区別することができず、利便性に難があるという課題があった。
【０００７】
【課題を解決するための手段】
これらの課題を解決するため本発明では、デジタルデータをファイルとして記憶する記憶部と、前記ファイルを表示する表示部と、操作部と、前記記憶部に記憶されたファイルの中から所望のファイルを電子メールに添付して送信する無線通信部と、前記所望のファイルが電子メールに添付されて前記無線通信部により送信され、その後前記操作部に対して前記所望のファイルを前記記憶部から削除するための操作が行われた場合には、前記所望のファイルを前記記憶部から削除し、前記操作部に対して前記所望のファイルを前記記憶部から削除しないための操作が行われた場合には、前記電子メールに添付されたファイルを前記記憶部から削除せず、ついで前記記憶部に記憶されたファイルが前記表示部に閲覧表示された際には、前記電子メールに添付され、かつ前記操作部に対して行われた操作により前記記憶部から削除しないこととなった前記ファイルが送信済みのファイルであることを示すマークを前記表示部に表示する制御部と、を有することを特徴とする。
【０００８】
【発明の実施の形態】
以下、図面により本発明の一実施形態を説明する。図１は本発明の一実施形態を示す添付ファイル削除機能付き携帯電話機のブロック図。図２〜図４は本発明の一実施形態を示す添付ファイル削除機能付き携帯電話機のフローチャートである。図２は第１の実施形態であり請求項１および請求項４に対応し、図３は第２の実施形態を示し請求項２および請求項５に対応し、さらに図４は第３の実施形態を示し請求項３および請求項６にそれぞれ対応している。
【０００９】
図１において、１００は携帯電話機、１０は制御部、２０は各種ファイルを記憶する記憶部、３０はカメラで撮影した画像やメールの文章の表示、各種操作の指示や携帯電話機の動作状態などを表示する表示部。４０は携帯電話機に対する各種の指示を行ったりメールを作成するための操作部、５０は外部と各種データの受け渡しをする無線通信部。６０は送受信データ、７０は外部情報端末とデータの送受信を行う送受信用アンテナである。制御部１０は本発明において、表示部３０への文字や画像の表示、無線通信部５０の外部情報端末との送受信データ６０の受け渡しおよび各種ファイルを記憶部２０に記憶する動作の制御を司る他、携帯電話機１００全体の動作を制御している。
【００１０】
図２に示すフローチャートで本発明の第１の実施形態の動作を説明する。携帯電話機１００の使用者が電源をオンにすると(ステップａ０１０)制御部１０はステップａ０２０のメール作成待機状態になる。使用者は操作部４０により表示部３０を見ながらメール本文を作成し、メールの作成が終わったならば操作部４０はメールの作成が終わったことを制御部１０に通知する。ここで、「メール本文」とは使用者が作成した文章が含まれるテキストファイルをいう。制御部１０はステップａ０３０に移り、ファイル添付の有無を判定する。ファイル添付があった場合、制御部１０は添付されるファイルを記憶部２０から選択し該当するファイルに削除を示すフラグｄを立てる（ステップａ０４０)。さらにそのファイルデータを無線通信部５０に転送し電子メールに添付できる形式に変換し添付ファイルとする。使用者のメール送信の指示により制御部１０は添付ファイルとともにメールを送信するよう無線通信部５０を制御し、送受信データ６０が送出される（ステップａ０５０）。無線通信部５０はメールの送信が完了すると送信完了通知を制御部１０に送り、制御部１０は送信完了通知を取得する（ステップａ０６０）。ここでさらに制御部１０は、記憶部２０に記憶されている、メールに添付したファイルにフラグｄがあるかどうか確認し（ステップａ０７０）、フラグが立っていれば、記憶部２０から該ファイルを削除（ステップａ０８０）したうえで表示部３０にメールの送信が完了したことを通知するメッセージ（例えば、「メールが送信されました！」という文字表示）を表示し（ステップａ０９０）メール送信動作が完了する。一方、ステップａ０３０でファイルの添付が無い場合は、ステップａ０４０とａ０８０をスキップして処理が実行されメモリ内のファイルは削除されずにメール送信動作が完了する。なお、添付ファイルの削除動作については、ステップａ０５０のメール送信実施直後に行う方法でもよいし、たとえば翌日までに削除する等、期間を設定できるものであってもよい。
【００１１】
図３は本発明の第２の実施形態を示すフローチャートで、メモリ内にある、添付したファイルと同じファイルを削除するかしないかをメール送信毎に選択できるものである。ファイル添付ステップ（ステップｂ０３０）の次のステップ（ステップｂ０４０）で、操作部４０によりファイルをメール送信後に削除するかしないかを指示する。この指示により制御部１０は削除に該当するファイルに削除を示すフラグｄを立てる。これ以降の処理は図２に示される本発明の第１の実施形態と同様である。本第２の実施形態の利用をすることで、使用者は他の情報端末で利用するために転送はしたいが、携帯電話機の内蔵メモリから削除したくないファイルについても添付ファイルとして転送することができる。本実施形態の場合、使用者の利便性を考慮して、添付ファイルの削除を選択しなかったファイル（削除されなかったファイル）については、別途、ファイルの閲覧を行った際に送信済みのファイルであることを示すマークを表示器に表示する方法も考えられる。
【００１２】
また、図４は本発明の第３の実施形態を示すフローチャートで、ファイルを添付したメールについて、メール本文の削除を設定できるものである。使用者がファイルを添付（ステップｃ０３０）すると、制御部１０は第１の実施形態における処理と同様にそのファイルにフラグｄを立てる（ステップｃ０４０）。その次に使用者はメール本文を削除するかどうかを操作部４０で設定し（ステップｃ０５０）削除することを選択した場合にはステップｃ０６０で削除するメール本文にメールの削除を示すフラグｅを立てる。メール送信（ステップｃ０７０）の後、ステップｃ０８０で送信完了通知取得後フラグｄがあるかどうか確認し（ステップｃ０９０）、フラグｄが立っていれば記憶部２０から該ファイルを削除する（ステップｃ１００）。さらにフラグｅがあるかどうか確認し（ステップｃ１１０）、フラグｅが立っている場合はメール本文も削除する（ステップｃ１２０）。最後に送信完了表示を行い（ステップｃ１３０）メール送信動作が完了する。
【００１３】
この第３の実施形態ではメール本文の削除は行うがメールの送信履歴は削除されない。これは、使用者がファイルの転送先を忘れてしまった場合や転送先はわかるが転送したファイルのファイル名を失念してしまった場合などに、送信履歴に記録された送信先や送信日時をヒントにファイルの検索を可能にするためである。また、メール本文の削除動作は、ステップｃ１００のメモリ内のファイル削除ステップ実施直後に行う場合のほか、たとえば翌日までに削除する等、期間を設定できるものであってもよい。このほか、添付ファイルを削除せずにメール本文のみ削除する方法や添付ファイルがない場合でもメール本文を削除する方法も考えられる。
【００１４】
以上の実施形態のほか、内蔵メモリ内のファイル削除をメール送信直後ではなく任意の時間後に削除するよう設定できるものも実施形態のひとつとして考えられる。
【００１５】
【発明の効果】
使用者は、電子メールに添付されて送信されたファイルとそうでないファイルとをファイルの閲覧の際に区別することができ、利便性の向上が図られる。
【図面の簡単な説明】
【図１】本発明の一実施形態を示す添付ファイル削除機能付き携帯電話機のブロック図。
【図２】本発明の一実施形態を示す添付ファイル削除機能付き携帯電話機のフローチャートで第１の実施形態を示す。
【図３】本発明の一実施形態を示す添付ファイル削除機能付き携帯電話機のフローチャートで第２の実施形態を示す。
【図４】本発明の一実施形態を示す添付ファイル削除機能付き携帯電話機のフローチャートで第３の実施形態を示す。
【符号の説明】
１００：携帯電話機
１０：制御部
２０：記憶部
３０：表示部
４０：操作部
５０：無線通信部
６０：送受信データ
７０：送受信用アンテナ
【図１】
0004721612.tif 000002
【図２】
0004721612.tif 000003
【図３】
0004721612.tif 000004
【図４】
0004721612.tif 000005